【手続補正書】
【提出日】平成15年10月23日(2003.10.23)
【手続補正１】
【補正対象書類名】明細書
【補正対象項目名】特許請求の範囲
【補正方法】変更
【補正の内容】
【特許請求の範囲】
【請求項１】
原稿台上に載置された複数枚の原稿をピックアップローラにより分離ローラとリバースローラの間に送り出し、原稿搬送方向に回転される分離ローラと原稿搬送方向に対して逆方向に回転されるリバースローラとにより前記ピックアップローラにより送り出されてきた原稿を１枚ずつ分離して原稿読取部に搬送するとともに、前記原稿台上に前記原稿をセットする際には、前記ピックアップローラと前記分離ローラの間の閉止位置に位置して、前記原稿台上にセットされる前記原稿の先端を整え、前記原稿台上の前記原稿の搬送時には、前記原稿台上から離隔した待避位置に移動して前記原稿の搬送を可能とするシャッタを備えた原稿分離給紙装置において、前記シャッタは、前記リバースローラの回転軸に当該回転軸を支点として前記閉止位置と前記待避位置とに回動可能に取り付けられるとともに、所定の伝達手段により前記リバースローラの回転軸の回転が伝達されて前記閉止位置と前記待避位置とに回動されることを特徴とする原稿分離給紙装置。
【請求項２】
前記シャッタは、前記原稿台上にセットされた前記原稿の先端の当接する部分が、前記原稿台から離れた側から前記原稿台方向に向かって前記原稿搬送方向に所定角度傾斜した傾斜面を有していることを特徴とする請求項１記載の原稿分離給紙装置。
【請求項３】
前記伝達手段は、少なくとも前記シャッタを前記閉止位置から前記待避位置に回動させる際に、前記リバースローラの回転軸の回転を所定の遅延時間遅延させて前記シャッタに伝達することを特徴とする請求項１または請求項２記載の原稿分離給紙装置。
【請求項４】
前記シャッタは、前記リバースローラの前記回転軸に回動可能に取り付けられるアーム部を備え、前記伝達手段は、前記リバースローラの前記回転軸に取り付けられ爪部を有したスプリングクラッチと、前記シャッタの前記アーム部の前記リバースローラの前記回転軸への取付位置付近に設けられ前記スプリングクラッチの前記爪部の挿入される溝部の形成された連結部と、を備え、前記スプリングクラッチが前記リバースローラの前記回転軸の回転に伴って回転して、前記溝部に挿入された前記爪部が前記連結部に係合して前記シャッタを前記閉止位置と前記待避位置とに回動させることを特徴とする請求項１または請求項２記載の原稿分離給紙装置。
【請求項５】
前記連結部の前記溝部は、前記爪部の幅よりも所定量大きな幅を有した大きさに形成され、前記爪部が当該溝部内で所定量移動して、前記リバースローラの前記回転軸の回転を所定の遅延時間遅延させて前記シャッタに伝達することを特徴とする請求項４記載の原稿分離給紙装置。
【手続補正２】
【補正対象書類名】明細書
【補正対象項目名】０００９
【補正方法】変更
【補正の内容】
【０００９】
そこで、請求項１記載の発明は、原稿台上に原稿をセットする際には、ピックアップローラと分離ローラの間の閉止位置に位置して、原稿台上にセットされる原稿の先端を整え、原稿台上の原稿の搬送時には、原稿台上から離隔した待避位置に移動して原稿の搬送を可能とするシャッタを、リバースローラの回転軸に当該回転軸を支点として閉止位置と待避位置とに回動可能に取り付けるとともに、伝達手段によりリバースローラの回転軸の回転をシャッタに伝達して閉止位置と待避位置とに回動することにより、従来、シャッタを駆動するのに使用されていた電磁ソレノイド及び当該電磁ソレノイドの駆動制御系を削除して、部品点数を削減し、構造が簡単かつ安価で小型の原稿分離給紙装置を提供することを目的としている。


【手続補正３】
【補正対象書類名】明細書
【補正対象項目名】００１１
【補正方法】変更
【補正の内容】
【００１１】
請求項３記載の発明は、伝達手段を、少なくともシャッタを閉止位置から待避位置に回動させる際に、リバースローラの回転軸の回転を所定の遅延時間遅延させてシャッタに伝達するものとすることにより、原稿搬送時にピックアップローラにより分離ローラ方向に送り出された原稿の先端を遅延されて回動されるシャッタにより整え、分離ローラとリバースローラによる原稿の分離性能を向上させるとともに、原稿セット時の操作性を向上させることのできる構造が簡単かつ安価で小型の原稿分離給紙装置を提供することを目的としている。


【手続補正４】
【補正対象書類名】明細書
【補正対象項目名】００１４
【補正方法】変更
【補正の内容】
【００１４】
【課題を解決するための手段】
請求項１記載の発明の原稿分離給紙装置は、原稿台上に載置された複数枚の原稿をピックアップローラにより分離ローラとリバースローラの間に送り出し、原稿搬送方向に回転される分離ローラと原稿搬送方向に対して逆方向に回転されるリバースローラとにより前記ピックアップローラにより送り出されてきた原稿を１枚ずつ分離して原稿読取部に搬送するとともに、前記原稿台上に前記原稿をセットする際には、前記ピックアップローラと前記分離ローラの間の閉止位置に位置して、前記原稿台上にセットされる前記原稿の先端を整え、前記原稿台上の前記原稿の搬送時には、前記原稿台上から離隔した待避位置に移動して前記原稿の搬送を可能とするシャッタを備えた原稿分離給紙装置において、前記シャッタは、前記リバースローラの回転軸に当該回転軸を支点として前記閉止位置と前記待避位置とに回動可能に取り付けられるとともに、所定の伝達手段により前記リバースローラの回転軸の回転が伝達されて前記閉止位置と前記待避位置とに回動されることにより、上記目的を達成している。


【手続補正５】
【補正対象書類名】明細書
【補正対象項目名】００１８
【補正方法】変更
【補正の内容】
【００１８】
また、例えば、請求項３に記載するように、前記伝達手段は、少なくとも前記シャッタを前記閉止位置から前記待避位置に回動させる際に、前記リバースローラの回転軸の回転を所定の遅延時間遅延させて前記シャッタに伝達するものであってもよい。


【手続補正６】
【補正対象書類名】明細書
【補正対象項目名】００６９
【補正方法】変更
【補正の内容】
【００６９】
【発明の効果】
請求項１記載の発明の原稿分離給紙装置によれば、原稿台上に原稿をセットする際には、ピックアップローラと分離ローラの間の閉止位置に位置して、原稿台上にセットされる原稿の先端を整え、原稿台上の原稿の搬送時には、原稿台上から離隔した待避位置に移動して原稿の搬送を可能とするシャッタを、リバースローラの回転軸に当該回転軸を支点として閉止位置と待避位置とに回動可能に取り付けるとともに、伝達手段によりリバースローラの回転軸の回転をシャッタに伝達して閉止位置と待避位置とに回動しているので、従来シャッタを駆動するのに使用されていた電磁ソレノイド及び当該電磁ソレノイドの駆動制御系を削除して、部品点数を削減することができ、原稿分離給紙装置を構造が簡単かつ安価で小型のものとすることができる。


【手続補正７】
【補正対象書類名】明細書
【補正対象項目名】００７１
【補正方法】変更
【補正の内容】
【００７１】
請求項３記載の発明の原稿分離給紙装置によれば、伝達手段を、少なくともシャッタを閉止位置から待避位置に回動させる際に、リバースローラの回転軸の回転を所定の遅延時間遅延させてシャッタに伝達するものとしているので、原稿搬送時にピックアップローラにより分離ローラ方向に送り出された原稿の先端を遅延されて回動されるシャッタにより整えることができ、分離ローラとリバースローラによる原稿の分離性能を向上させることができるとともに、原稿分離給紙装置を原稿セット時の操作性が良好で、構造が簡単かつ安価で小型のものとすることができる。